(57)【要約】【課題】マッサージにおいて、施術者や周囲環境などによる品質ばらつきが発生せず、誰がいつどこで行っても一定品質のマッサージが提供できるマッサージ支援装置及び方法を提供する。【解決手段】マッサージ品質の良し悪しを決めるマッサージ構成要素「基本技法」「時間」「スピード」「強弱」を、音楽の構成要素である「旋律」「音色」「テンポ」「リズム」「アクセント」で表現した楽曲を用いて、この楽曲に合わせてマッサージを行う。【選択図】図３
2007029227.tif 000002
【特許請求の範囲】
【請求項１】
マッサージにおいて、マッサージの構成要素である「基本技法」「時間」「スピード」「強弱」を、音楽の構成要素である「旋律」「音色」「テンポ」「リズム」「アクセント」で表現した楽曲を用いて、前記楽曲に同期しながらマッサージを行うことを特徴とするマッサージ支援方法。
【請求項２】
被施術者の頭体を載せるヘッドレストに、前記楽曲を出力する音響出力装置が組み込まれていることを特徴とする請求項１記載のマッサージ支援装置。
【発明の詳細な説明】
【技術分野】
【０００１】
本発明は、マッサージのトレーニングや施術時において、専用楽曲を用いることで、高品質で且つ（何処でも、どの施術者からでも）均一性のとれたマッサージを提供する装置及び方法に関するものである。
【背景技術】
【０００２】
近年、マッサージにはエステティックサロンのように美を追求するマッサージをはじめ、カイロプラクティック系マッサージ、スポーツ系マッサージ、あんま系マッサージなど多種多様のマッサージが提供されている。
【０００３】
このようなマッサージにおいて、施術者を養成するトレーニング方法には、１）マッサージ手順に関する教本やマニュアルを読解して習得する方法、２）模範となるマッサージビデオを視聴し習得する方法、３）講師の行う模範マッサージを見て習得する方法、４）講師に（受講生の）マッサージを見てもらい指導を受ける方法  などが主流であった。
【０００４】
しかしながらこれらの方法では、トレーニングを何度も繰り返す必要があり、習得までに多くの時間を費やしてしまう問題があった。またマッサージが我流に陥ってしまい、良質なマッサージを提供できなくなる危険性もあった。
【０００５】
一方、トレーニングを修了した一般施術者においても、月日が経過するに従いマッサージのテンポやスピードにばらつきが発生し始め、徐々にマッサージ品質が低下していく問題があった。
【発明の開示】
【発明が解決しようとする課題】
【０００６】
本発明者はこれらの実状に鑑みて、以下の課題を解決し得るマッサージ支援装置及び方法の開発を試みた。
【０００７】
すなわち、マッサージスピードや指圧ポイントなどにばらつきがなく、常時一定品質のマッサージを提供できること。また、マッサージ施術者間によるばらつき（人によるばらつき）が生じないこと。そして、マッサージ技法習得の時間短縮が図れることである。
【課題を解決するための手段】
【０００８】
上記課題を達成するため、本発明のマッサージ支援装置及び方法は、マッサージの構成要素である「基本技法」「時間」「スピード」「強弱」を、音楽の構成要素である「旋律」「音色」「テンポ」「リズム」「アクセント」で表現した楽曲を用いて、前記楽曲に同期しながらマッサージを行うことを特徴とする。
【０００９】
また、被施術者の頭体を載せるヘッドレストに、前記楽曲を出力する音響出力装置が組み込まれていることを特徴とする。
【発明の効果】
【００１０】
本発明のマッサージ支援装置及び方法は次のような効果を奏した。
【００１１】
第１に、施術者は専用楽曲の「リズム」と「テンポ」に乗って、“ゆっくりと”“軽快に”といったスピードコントロールを行うため、スピード（速さ）によるばらつきがなくなり、所定時間どおりのマッサージを提供できるようになった。
【００１２】
第２に、施術者は専用楽曲の「アクセント」に従って、“指圧”のタイミングと強さをコントロールするため、指圧のばらつきがなくなった。
【００１３】
第３に、施術者は専用楽曲の「旋律」に従って、“撫でる”“引っ張る”といった基本技法を使い分け、「音色」に従って、“掌”“中指”といった使用する手の部位を選択するため、マッサージのミスがなくなった。
【００１４】
第４に、この専用楽曲には、マッサージに必要な「基本技法」「時間」「スピード」「強弱」の要素が盛り込まれているため、初心者であっても短時間でマッサージ技法を習得できるようになった。
【００１５】
第５に、施術者養成トレーニングにおいて、マッサージ支援装置を併用することにより、講師の負担が軽減され、短期間に多数の施術者を養成することが可能となった。また、受講者は専用楽曲を持ち帰ることで、いつでも手軽にトレーニングができるようになり、講師自身も自分のマッサージをいつでもセルフチェックできるようになった。
【００１６】
第６に、マッサージ施術中には被施術者にも専用楽曲が聞こえるため、マッサージと専用楽曲の相乗効果により、被施術者のリラックス度が更に向上し、満足度もアップした。
【発明を実施するための最良の形態】
【００１７】
以下、本発明の実施態様の一例である基本構成図を図１に示す。マッサージ支援装置１は、音源、アンプ及びスピーカー３が内蔵されたヘッドレスト２から構成されている。
【００１８】
音源にはマサージ施術時に音声出力する専用楽曲が収録されており、被施術者がヘッドレスト２に頭部を載せ、スイッチをオンすると、音声がアンプを経由してヘッドレスト内蔵スピーカーから出力される。
【００１９】
マッサージ施術者は流れてくる専用楽曲に合わせ（同期しながら）、所定のマッサージを施す。この専用楽曲には、マッサージ手順やノウハウなどの情報が盛り込まれているため、専用楽曲に従ってマッサージを行えば、いつでもミスなく、高品質なマッサージを提供することができる。
【００２０】
ここで、マッサージの手順やノウハウを専用楽曲に盛り込む手順を説明する。マッサージにはエステティック系マッサージをはじめ、カイロプラクティック系マッサージ、スポーツ系マッサージなど多種多様のものが存在するが、本発明者はまずマッサージに共通する構成要素を模索した。
【００２１】
その結果、５つの要素を押さえれば、一定品質の良質マッサージを提供できることが分かった。すなわち、１）マッサージを行う部位、ツボ  ２）さする、よじる、叩く、押すなどの基本技法  ３）マッサージ時間  ４）手の動きの速さ（スピード）  ５）指圧するタイミングと力（強弱） の５要素である。
【００２２】
次にこれら５要素「部位」「基本技法」「時間」「スピード」「強弱」を楽曲に盛り込む手段について検討した。一般的に音楽は、「旋律（メロディー）」「和音（ハーモニー）」「拍子（リズム）」の３要素から成り立つと言われており、この理論を基にマッサージ用楽曲に必要な構成要素を模索した。
【００２３】
その結果、マッサージを音楽で表現するには、次の５つの要素が必要であることを導き出した。すなわち、１）“さする”“よじる”“叩く”などの基本技法を表現する「旋律
（メロディー）」  ２）施術者が使用する“掌”“指の本数”などを表現する「音色（楽器）」  ３）“ゆっくり”“滑らかに”“軽快に”といった手の動きのスピードを表現する「テンポ（曲の速度）」  ４）“ゆったり感”“軽快感”などを表現する「リズム（拍子）」  ５）マッサージの“開始”“終了”“指圧タイミング”などを表現する「アクセント」  の５つの要素である。
【００２４】
ここでマッサージの構成要素と音楽の構成要素を関連付けると、次のようになる。マッサージの「基本技法」は、音楽の「旋律」と「音色」で表現。
マッサージの「時間」「スピード」は、音楽の「テンポ」と「リズム」で表現。
マッサージの「強弱」は、音楽の「アクセント」で表現。
【００２５】
尚、マッサージ要素のひとつである「部位」に対応する音楽構成要素は除外した。その理由は、マッサージにおける「部位」は施術者にとって基本となる重要要素であるが、施術者がこの要素でミスを犯す危険性は低く、楽曲に盛り込まなくてもマッサージ品質に影響はないと判断したためである。
【実施例】
【００２６】
以下、本発明の具体的なプロセスフローを図２及び図３、図４を用いて詳細に説明する。図２は本発明における専用楽曲製作フローチャートの一例であり、図３はマッサージ構成要素と専用楽曲構成要素の関係の一例を示す関連図であり、図４はマッサージ専用楽曲の製作（作曲）仕様書の一例である。
【００２７】
まず、図２のＳ１１０に示すように、まず専用楽曲を製作しようとするマッサージの手順・要領・コツを、マッサージプログラムとして図３のＳ２１０のような形式で明文化する。
【００２８】
ここでのマッサージプログラムは、“「あご→耳下腺」「口尻→耳下腺」「小鼻→こめかみ」「額中央→こめかみ」の順番で、掌全体が肌にあたるようにして、ゆっくりと軟らかく撫で下ろしながら、各動作を２秒づつで行い（２秒×４動作）、各終点でキュッと指圧する。”と表現した。
【００２９】
次に図２のＳ１２０に示すように、先ほど明文化したマッサージプログラム（Ｓ２１０）をマッサージの構成要素である「部位」「基本技法」「時間」「スピード」「強弱」に分解し、図３のＳ２２０のような形式に落とし込む。
【００３０】
ここでは「部位」を“「あご→耳下腺」「口尻→耳下腺」「小鼻→こめかみ」「額中央→こめかみ」”と表現し、「基本技法」を“掌全体を使って、各部位から外側へ向かって、柔らかく撫で下ろす”とし、「時間」を“各動作２秒×４動作”とし、「スピード」を“ゆっくり”とし、「強弱」を“終点でキュッと指圧する”とした。
【００３１】
マッサージプログラムを各構成要素に分解できたら、図２のＳ１３０に移る。ここではマッサージの５構成要素である「部位」「基本技法」「時間」「スピード」「強弱」のうち、「部位」を除く４要素を、音楽の５構成要素である「旋律」「音色」「テンポ」「リズム」「アクセント」に置き換え、展開する。
【００３２】
図３のＳ２３０に示すように、まずマッサージ要素の「基本技法」を音楽要素の「旋律」と「音色」に展開する。ここでは「基本技法」が“掌全体を使って、各部位から外側へ向かって、柔らかく撫で下ろす”とあるので、「旋律」を“ゆったり感と滑らか感”とし、「音色」をソフトな音色が特徴の“フルート”として展開した。
【００３３】
次にマッサージ要素の「時間」と「スピード」を音楽要素の「テンポ」と「リズム」に展開する。「時間」が“各動作２秒×４動作”で、「スピード」が“ゆっくり”とあるので、「テンポ」は“ゆっくり”、「リズム」は“４／４拍子”として展開した。
【００３４】
最後にマッサージ要素の「強弱」を音楽要素の「アクセント」に展開する。「強弱」が“各終点でキュッと指圧する”とあるので、「アクセント」は“４拍子の中の１拍子目と３拍子目にアクセント”として展開した。
【００３５】
マッサージプログラムがいくつかの行程を繋げて構成されている場合は、図４に示すように、各行程毎にこれら（図２のＳ１２０とＳ１３０）の方法で音楽構成要素に展開していき、楽曲仕様書を完成させる。
【００３６】
そして楽曲の仕様書完成後、作曲家に依頼するなどして、仕様書に基づいた作曲作業に入る。尚、楽曲仕様書に加え、マッサージを録画したビデオなどを併用すると、楽曲をイメージし易くなり、作曲効率が向上し、望ましい。
【００３７】
専用楽曲が完成後、図１に示すマッサージ支援装置の音源に専用楽曲を収録し、マッサージ施術時やトレーニング時に専用楽曲を鳴らし、それに合わせてマッサージを行う。
【００３８】
次に、図４の仕様書に基づいて製作した専用楽曲を用いて、マッサージを施行した評価結果を示す。
【００３９】
表１はマッサージ所要時間の測定結果である。まず、専用楽曲を使用しない従来方式で、施術者４名のマッサージ所要時間を測定した。のべ７回測定し、最短が３分２１秒、最長が４分４０秒で、最大７９秒ものばらつきがあった。また標準時間（目標時間）の４分００秒に対しては、軒並み早く終了していた。この結果より専用楽曲を使用しない従来方式では、マッサージ品質がばらついていたことが伺える。
【００４０】
一方、専用楽曲を用いてマッサージを行った場合は、全員が楽曲の所要時間４分００秒で終えており、本発明により時間的なばらつきが解消されたことが立証できた。
【００４１】
【表１】
2007029227.tif 000003
【００４２】
表２は専用楽曲を使用した場合の施術者の感想である。１５名の施術者について感想を求めたところ、９３％にあたる１４名が“良かった”と回答した。理由としては、“リラックスしながらマッサージできた”“楽曲が頭に残り、マッサージに集中できた”といっ
た意見が多かった。その半面、“楽曲に気をとられて集中できなかった”という意見も１名あった。
【００４３】
【表２】
2007029227.tif 000004
【００４４】
表３は専用楽曲を使用して、マッサージのトレーニングを実施した結果である。１５名の指導者（トレーナー）に感想を求めたところ、８７％にあたる１３名が“トレーニングに効果あり”と回答した。理由としては、“受講生の習得が早くなった”“指導がやり易くなった（教え易い）”といった意見が多かった。その半面、“初心者に楽曲を使うのは難しい”という意見も２名あった。このことから本発明はトレーニングにおいても効果があることが確認できた。
【００４５】
【表３】
2007029227.tif 000005
【産業上の利用可能性】
【００４６】
上述の発明は、マッサージのトレーニングや施術時において、専用楽曲を用いて高品質なマッサージを提供する装置及び方法として利用可能である。
【図面の簡単な説明】
【００４７】
【図１】本発明の一実施形態であるマッサージ支援装置の基本構成図。
【図２】専用楽曲製作の一例を示すフローチャート。
【図３】マッサージ構成要素と専用楽曲構成要素の関係の一例を示す関連図。
【図４】マッサージ専用楽曲の作曲仕様書の一例。
【符号の説明】
【００４８】
１  マッサージ支援装置
２  ヘッドレスト
３  スピーカー（出力手段）
【図１】
2007029227.tif 000006
【図２】
2007029227.tif 000007
【図３】
2007029227.tif 000008
【図４】
2007029227.tif 000009